(57)【要約】【課題】クランプ補正直後において、ペデスタルレベルの不安定が画質劣化に与える影響を低減することができる映像信号処理装置を提供する。【解決手段】アンプ／クランプ処理回路１４およびシンクチップクランプ処理回路１８において映像信号にシンクチップクランプ処理を施す。ペデスタルクランプ処理回路２２は、バックポーチレベル(ペデスタルレベル)の平均値の算出に用いるウィンドウ幅を順次拡張（長く）する。これにより、クランプ補正処理の開始直後に、ペデスタルクランプ処理によるレベル補正を最初に行うタイミングを早めることができ、品位の悪いアナログ映像信号内の不安定なペデスタルレベルが画質劣化に与える影響を低減できる。【選択図】  図１
2009021942.tif 000002
【特許請求の範囲】
【請求項１】
第１の映像信号にシンクチップクランプ処理を施して第２の映像信号を生成するシンクチップクランプ処理回路と、
前記シンクチップクランプ処理回路が生成した前記第２の映像信号のペデスタルレベルの平均レベルを検出し、当該平均レベルを基に直流オフセットを生成し、当該生成した直流オフセットで前記第２の映像信号のレベルを補正するペデスタルクランプ処理を行うペデスタルクランプ処理回路と
を有し、
前記ペデスタルクランプ処理回路は、
時間経過に従って順次拡張するように更新されるウィンドウ時間を単位として、前記ペデスタルクランプ処理を行うことを特徴とする
映像信号処理装置。
【請求項２】
前記ペデスタルクランプ処理回路は、前記ペデスタルレベルの変動を検出し、当該変動が所定の安定性基準を満たしたことを条件に、当該安定性基準を満たさない場合に比べて、前記ウィンドウ時間を前記更新するタイミングを早める
ことを特徴とする請求項１に記載の映像信号処理装置。
【請求項３】
前記シンクチップクランプ処理回路は、アナログの前記第１の映像信号をＡ／Ｄ変換して生成されたデジタルの映像信号を基に直流オフセットを生成し、当該直流オフセットを基にアナログの前記第１の映像信号のレベルを補正し、
前記ペデスタルクランプ処理回路は、前記デジタルの映像信号から分離された輝度信号を前記第２の映像信号として用いて前記ペデスタルクランプ処理を行う
ことを特徴とする請求項１または請求項２に記載の映像信号処理装置。
【請求項４】
前記直流オフセットを生成する際に前記平均レベルとの間の差分計算に用いられる基準レベル、前記ペデスタルクランプ処理において前記補正を行うか否かを決定する際に前記オフセットとの比較に用いられるしきい値、あるいは前記ウィンドウ時間の最大値を設定する設定手段
をさらに有することを特徴とする請求項１〜３のいずれかに記載の映像信号処理装置。
【請求項５】
第１の映像信号にシンクチップクランプ処理を施して第２の映像信号を生成するシンクチップクランプ処理工程と、
前記シンクチップクランプ処理工程で生成した前記第２の映像信号のペデスタルレベルの平均レベルを検出する平均レベル検出工程と、
前記平均レベル検出工程で検出した前記平均レベルを基に直流オフセットを生成し、当該生成した直流オフセットで前記第２の映像信号のレベルを補正するペデスタルクランプ処理工程と
を有し、
時間経過に従って順次拡張するように更新されるウィンドウ時間を単位として、前記平均レベル検出工程および前記ペデスタルクランプ処理工程を行う
ことを特徴とする映像信号処理方法。
【発明の詳細な説明】
【技術分野】
【０００１】
本発明は、映像信号処理装置およびその方法に関するものである。
【背景技術】
【０００２】
ＮＴＳＣ(National Television Standards
Committee)信号に代表されるアナログ映像信号の輝度レベルは、ペデスタルレベルと呼ばれる直流電圧レベルを基準としている。ペデスタルレベルは、アナログ映像信号のフロントポーチあるいはバックポーチのレベルである。一般的に、ペデスタルレベルを一定に保つためのクランプ補正処理として、シンクチップクランプとペデスタルクランプの二つの方式がある。
【０００３】
図６は、標準的なアナログ映像信号の水平ブランキング期間周辺の波形図の一例を説明するための図である。図６において、シンクチップ期間を判定し、このレベルを一定に保つようにオフセットチャージを行う補正手法をシンクチップクランプと呼ぶ。一方、フロントポーチ、あるいはバックポーチ期間を判定し、このレベル(ペデスタルレベル)を一定に保つようにオフセットチャージを行う補正手法をペデスタルクランプと呼ぶ。現在、これらの処理はハードウェア的な電子回路により実現されているのが一般的である。
【０００４】
図７は、非標準的なアナログ映像信号について、シンクチップクランプを行った場合の補正時のスナップショットを説明するための図である。ここで、「非標準的なアナログ映像信号」とは、具体的な例として、アナログビデオカセットに記録されたために周波数特性が劣化した映像信号や、ビデオデッキ等のアナログ映像出力装置そのものの劣化により、映像信号がなまり、シンクチップレベルが下がりきらなかったり、あるいは逆に上がり過ぎた信号である。
図７に示す非標準的なアナログ映像信号は、図６に示す標準的な映像信号に比べてペデスタルレベルが下がっている。仮に、テレビ等の受信機で図７に示す非標準的な映像信号の映像を見た場合、本来の映像よりも全体的に暗過ぎる映像となる。逆に、映像信号のペデスタルレベルが標準的な映像信号に比べて上がっている場合には、全体的に明る過ぎる映像となる。
【０００５】
一方で、このような非標準的な映像信号にペデスタルクランプ処理を適用することを考える。一般的に、バックポーチ(あるいはフロントポーチ)期間を判定することは、シンクチップ期間を判定することに比べ難しい。そのため、ペデスタルクランプ処理では、例えば、誤った期間をバックポーチと判定し、本来想定していない補正が行われてしまう可能性がある。最悪の場合、ペデスタルレベルが安定せずにふらつくことで、チラついた映像が表示されてしまう。
このように、非標準的なアナログ映像信号に従来のクランプ補正手法適用した場合には、実際の映像の輝度とは異なる映像となってしまうことがある。
【０００６】
【特許文献１】特開２００３−３４８３７５号公報
【発明の開示】
【発明が解決しようとする課題】
【０００７】
特開２００３−３４８３７５号公報には、ペデスタルクランプ処理において、予め固定された時間のウィンドウ幅内でペデスタルレベルを平均化し、レベル補正を行うか否かの閾値との比較してオフセットチャージを行うことで、Ｄ/ＡおよびＡ/Ｄの仕組み(回路)を変更して節約部品点数を削減する技術が開示されている。当該技術においては、予めバックポーチレベルの変動の予測値を基に、輝度を安定させるように上記ウインドウ幅の期間を固定的に規定している。
【０００８】
しかしながら、上述した公報に開示された技術では、定常時での輝度の安定性を考慮して上記ウィンドウ幅を固定的に規定しているため、クランプ補正開始直後の補正時間が長くなり、ペデスタルレベルが不安定な場合にそれが画質劣化に影響する時間が長いという問題がある。
【０００９】
本発明はかかる事情に鑑みてなされたものであり、その目的は、画質等の特性が悪い映像信号に対してもクランプ処理を行うことができ、安定かつ正しい輝度信号を得ることができる映像信号処理装置およびその方法を提供することにある。
【課題を解決するための手段】
【００１０】
本発明の映像信号処理装置は、上述した従来技術の問題点を解決し、上述した目的を達成するために、第１の映像信号にシンクチップクランプ処理を施して第２の映像信号を生成するシンクチップクランプ処理回路と、前記シンクチップクランプ処理回路が生成した前記第２の映像信号のペデスタルレベルの平均レベルを検出し、当該平均レベルを基に直流オフセットを生成し、当該生成した直流オフセットで前記第２の映像信号のレベルを補正するペデスタルクランプ処理を行うペデスタルクランプ処理回路とを有し、前記ペデスタルクランプ処理回路は、時間経過に従って順次拡張するように更新されるウィンドウ時間を単位として、前記ペデスタルクランプ処理を行う。
【００１１】
本発明の映像信号処理装置では、先ず、シンクチップクランプ処理回路において、第１の映像信号にシンクチップクランプ処理が施されて第２の映像信号が生成される。
次に、ペデスタルクランプ処理回路において、前記シンクチップクランプ処理回路で生成された前記第２の映像信号のペデスタルレベルの平均レベルが検出され、当該平均レベルを基に直流オフセットが生成される。
次に、前記ペデスタルクランプ処理回路において、前記生成した直流オフセットで前記第２の映像信号のレベルを補正される。
本発明の映像信号処理装置では、時間経過に従って順次拡張するように更新されるウィンドウ時間を単位として、前記ペデスタルクランプ処理回路による直流オフセットの生成、並びに前記第２の映像信号のレベルの補正が行われる。
これにより、クランプ補正処理の開始直後に、ペデスタルクランプ処理によるレベル補正を最初に行うタイミングを早めることができ、品位の悪いアナログ映像信号内の不安定なペデスタルレベルが画質劣化に与える影響を低減することができる。そのため、再生画像の画質を向上できる。
【００１２】
好適には、本発明の映像信号処理装置は、前記ペデスタルクランプ処理回路は、前記ペデスタルレベルの変動を検出し、当該変動が所定の安定性基準を満たしたことを条件に、当該安定性基準を満たさない場合に比べて、前記ウィンドウ時間を前記更新するタイミングを早める。
これにより、ペデスタルレベルが安定している場合に、より早いタイミングで本来設定さされるべき長いウィンドウ時間を選択でき、ペデスタルレベルの補正精度を高めることができる。
【００１３】
好適には、本発明の映像信号処理装置は、前記シンクチップクランプ処理回路は、アナログの前記第１の映像信号をＡ／Ｄ変換して生成されたデジタルの映像信号を基に直流オフセットを生成し、当該直流オフセットを基にアナログの前記第１の映像信号のレベルを補正し、前記ペデスタルクランプ処理回路は、前記デジタルの映像信号から分離された輝度信号を前記第２の映像信号として用いて前記ペデスタルクランプ処理を行う。
【００１４】
好適には、本発明の映像信号処理装置は、前記直流オフセットを生成する際に前記平均レベルとの間の差分計算に用いられる基準レベル、前記ペデスタルクランプ処理において前記補正を行うか否かを決定する際に前記オフセットとの比較に用いられるしきい値、あるいは前記ウィンドウ時間の最大値を設定する設定手段をさらに有する。
これにより、視聴者等の特性により適合したクランプ補正処理が可能になる。
【００１５】
本発明の映像信号処理方法は、第１の映像信号にシンクチップクランプ処理を施して第２の映像信号を生成するシンクチップクランプ処理工程と、前記シンクチップクランプ処理工程で生成した前記第２の映像信号のペデスタルレベルの平均レベルを検出する平均レベル検出工程と、前記平均レベル検出工程で検出した前記平均レベルを基に直流オフセットを生成し、当該生成した直流オフセットで前記第２の映像信号のレベルを補正するペデスタルクランプ処理工程とを有し、時間経過に従って順次拡張するように更新されるウィンドウ時間を単位として、前記平均レベル検出工程および前記ペデスタルクランプ処理工程を行う。
【発明の効果】
【００１６】
本発明によれば、画質等の特性が悪い映像信号に対してもクランプ処理を行うことができ、安定かつ正しい輝度信号を得ることができる映像信号処理装置およびその方法を提供することができる。
【発明を実施するための最良の形態】
【００１７】
以下、本発明の実施形態に係るテレビ受像機について説明する。
＜第１実施形態＞
図１は、本発明の第１実施形態に係るテレビ受像機１の映像信号の処理に係る構成を説明するための機能ブロック図である。
【００１８】
テレビ受像機１では、ペデスタルクランプ処理に特徴を有し、バックポーチレベル(ペデスタルレベル)の平均値の算出に用いるウィンドウ幅を順次拡張（長く）する。これにより、クランプ補正処理の開始直後に、ペデスタルクランプ処理によるレベル補正を最初に行うタイミングを早めることができ、品位の悪いアナログ映像信号内の不安定なペデスタルレベルが画質劣化に与える影響を低減することができる。そのため、再生画像の画質を向上できる。
【００１９】
図１に示すように、テレビ受像機１は、例えば、チューナ１０、外部入力端子１２、アンプ／クランプ処理回路１４、Ａ／Ｄ変換回路１６、シンクチップクランプ処理回路１８、Ｙ／Ｃ分離回路２０、ペデスタルクランプ処理回路２２および投影デバイス２４を有する。
アンプ／クランプ処理回路１４およびシンクチップクランプ処理回路１８が本発明のシンクチップクランプ処理回路の一例であり、ペデスタルクランプ処理回路２２が本発明のペデスタルクランプ処理回路の一例である。
【００２０】
一般的に、技術的な容易さや誤動作が少ない点では、シンクチップクランプ処理がペデスタルクランプ処理よりも優れている。一方、表示上の輝度レベルの精度はペデスタルクランプがシンクチップクランプ処理よりも優れている。テレビ受像機１では、シンクチップクランプ処理に加えて、ペデスタルクランプ処理を行う。また、ペデスタルクランプ処理において、順次拡張されるウィンドウ幅に対応する時間で定常的にバックポーチレベルを取得して移動平均価を算出し、その移動平均値とペデスタルクランプレベルの基準値との差分をオフセットとして付与する。
【００２１】
チューナ１０は、受信したテレビジョン信号から選択されたアナログ映像信号Ｓ１０をアンプ／クランプ処理回路１４に出力する。
外部入力端子１２は、当該端子に接続されたケーブル等から入力したアナログ映像信号Ｓ１２をアンプ／クランプ処理回路１４に出力する。
アンプ／クランプ処理回路１４に入力される上記アナログ映像信号Ｓ１０、Ｓ１２は、例えば、コンポジット映像信号、あるいはコンポーネント映像信号のＹ（輝度）信号である。
【００２２】
アンプ／クランプ処理回路１４は、チューナ１０あるいは外部入力端子１２から入力したアナログ映像信号Ｓ１０、Ｓ１２のシンクチップレベルを、シンクチップクランプ処理回路１８から入力したシンクチップ直流電圧ＤＣ（ＳＶ）をオフセットして用いてクランプ処理を行い、アナログ映像信号Ｓ１４を生成する。
具体的には、アンプ／クランプ処理回路１４は、アナログ映像信号のアナログ映像信号Ｓ１０、Ｓ１２のシンクチップ期間に、シンクチップ直流電圧ＤＣ（ＳＶ）をオフセットして用いてシンクチップレベルのクランプ処理を行う。テレビ受像機１では、このようにシンクチップクランプ処理を行うことで、レベルを安定して調整できる。
アンプ／クランプ処理回路１４は、上記生成したアナログ映像信号Ｓ１４をＡ／Ｄ変換回路１６に出力する。
【００２３】
Ａ／Ｄ変換回路１６は、アンプ／クランプ処理回路１４から入力したアナログ映像信号Ｓ１４にＡ／Ｄ変換処理を施してデジタル映像信号Ｓ１６を生成する。
Ａ／Ｄ変換回路１６は、上記生成したデジタル映像信号Ｓ１６をシンクチップクランプ処理回路１８およびＹ／Ｃ分離回路２０に出力する。
【００２４】
シンクチップクランプ処理回路１８は、デジタル映像信号Ｓ１６のシンクチップレベルを検出し、所定の基準シンクチップレベルとの誤差を小さくするように、シンクチップ直流電圧ＤＣ（ＳＶ）を生成し、これをアンプ／クランプ処理回路１４に出力する。
すなわち、シンクチップクランプ処理回路１８は、デジタル映像信号Ｓ１６におけるシンクチップ期間を判定し、映像信号Ｓ１６の変化をフィードバックしながら、シンクチップレベルを固定するように映像信号に付加するオフセットであるシンクチップ直流電圧ＤＣ（ＳＶ）を生成する。
なお、シンクチップクランプ処理回路１８は、例えば、デジタル映像信号Ｓ１６から分離された垂直同期信号および水平同期信号を基に、上記シンクチップ期間を特定する。
テレビ受像機１では、このようにシンクチップクランプ処理を行うことで、アナログ映像信号Ｓ１４の輝度レベルをシンクチップレベルを基に安定化できる。
【００２５】
Ｙ／Ｃ分離回路２０は、Ａ／Ｄ変換回路１６から入力したデジタル映像信号Ｓ１６を、デジタルＹ信号Ｓ１６１とデジタルＣ信号Ｓ１６２とに分離し、デジタルＹ信号Ｓ１６１をペデスタルクランプ処理回路２２に出力する。
また、Ｙ／Ｃ分離回路２０は、デジタルＣ信号Ｓ１６２を投影デバイス２４に出力する。
【００２６】
ペデスタルクランプ処理回路２２は、Ｙ／Ｃ分離回路２０から入力したデジタルＹ信号Ｓ１６１にペデスタルクランプ処理を施して、デジタルＹ信号Ｓ２２を生成し、これを投影デバイス２４に出力する。
ペデスタルクランプ回路２２は、デジタルＹ信号Ｓ１６１のバックポーチレベルの検出機能を持ち、かつ、マイクロコンピュータのような数値演算処理機能をもつ複合ディジタル信号処理デバイスである。
なお、Ｙ／Ｃ分離回路２０からのデジタルＹ信号Ｓ１６１と、ペデスタルクランプ処理回路２２からのデジタルＹ信号Ｓ２２とを重畳した映像信号を投影デバイス２４に出力してもよい。
【００２７】
以下、図１に示すペデスタルクランプ処理回路２２について詳細に説明する。
図２は、図１に示すペデスタルクランプ処理回路２２の機能ブロック図である。
図２に示すように、ペデスタルクランプ処理回路２２は、例えば、バックポーチレベル検出回路１０２、ＣＰＵ(Central Processing Unit)２２および加算回路１０６を有する。
【００２８】
なお、ペデスタルクランプ処理回路２２の機能の一部あるいは全部を、ハードウェア的な回路で実現してもよい。
【００２９】
以下、ペデスタルクランプ処理回路２２によるクランプ処理を説明する。
図３は、図２に示すペデスタルクランプ処理回路２２によるクランプ処理を説明するためのフローチャートである。
図４は、ペデスタルクランプ処理回路２２において、ウィンドウ幅ＢＰ＿Ｗｉｎを順次拡張する処理を概念的に説明するための図である。
ウィンドウ幅ＢＰ＿Ｗｉｎは、デジタルＹ信号Ｓ１６１についてペデスタルクランプ処理を行うために用いるバックポーチレベルの取得時間を示している。当該幅が長くなるに従って、バックポーチレベルの取得時間が長くなり、クランプ補正の精度は高まるが、クランプ処理を行う間隔が長くなり、応答性は悪くなる。本実施形態では、ペデスタルクランプ処理回路２２において、ウィンドウ幅ＢＰ＿Ｗｉｎを順次拡張することにより、クランプ補正処理の開始直後に、ペデスタルクランプ処理によるレベル補正を最初に行うタイミングを早める。これにより、品位の悪いアナログ映像信号内の不安定なペデスタルレベルが画質劣化に与える影響を低減することができ、再生画像の画質を向上できる。
【００３０】
以下、図３に示す各ステップに沿ってペデスタルクランプ処理回路２２の処理を説明する。
ペデスタルクランプ回路２２のバックポーチレベル検出部１０２は、Ｙ／Ｃ分離回路２０からのデジタルＹ信号Ｓ１６１のレベルを監視し、デジタルＹ信号Ｓ１６１内のバックポーチのレベルを検出する。
なお、バックポーチレベル検出回路１０２は、例えば、デジタル映像信号Ｓ１６から分離された垂直同期信号および水平同期信号を基に、デジタルＹ信号Ｓ１６１のバックポーチ期間を特定する。
そして、バックポーチレベル検出回路１０２は、上記検出したレベルを数値として示すバックポーチレベルＢＰ＿Ｌｅｖｅｌを生成し、これをＣＰＵ１０４に出力する（ステップＳＴ１）。
【００３１】
ＣＰＵ１０４は、ペデスタルクランプ回路２２から入力したバックポーチレベルＢＰ＿Ｌｅｖｅｌが示す値を加算値ＢＰ＿Ａｄｄに加算して加算値ＢＰ＿Ａｄｄを更新する（ステップＳＴ２）。
ＣＰＵ１０４は、今回の処理で選択されたウィンドウ幅ＢＰ＿Ｗｉｎ分のバックポーチレベルＢＰ＿Ｌｅｖｅｌを加算したという条件を満たしたか否かを判断し、当該条件を満たしたと判断すると、ステップＳＴ４に進み、条件を満たしていないと判断すると、ステップＳＴ１に戻る（ステップＳＴ３）。
なお、ＣＰＵ１０４は、ステップＳＴ１，ＳＴ２，ＳＴ３の処理を最初に行う際に、予め決められた初期値をウィンドウ幅ＢＰ＿Ｗｉｎとして選択する。
【００３２】
ＣＰＵ１０４は、現在の加算値ＢＰ＿Ａｄｄを今回選択したウィンドウ幅ＢＰ＿Ｗｉｎで除算して、平均値ＢＰ＿Ａｖｅを算出する（ステップＳＴ４）。
ＣＰＵ１０４は、ペデスタルレベルの理論標準値（固定値）ＰＬ＿ＯｆｆｓｅｔからステップＳＴ４で算出した平均値ＢＰ＿Ａｖｅを減算してペデスタルレベル補正オフセットＰＬ＿Ｏｆｆｓｅｔを算出する（ステップＳＴ５）。
【００３３】
ＣＰＵ１０４は、ウィンドウ幅ＢＰ＿Ｗｉｎがウィンドウ幅の最大値ＢＰ＿Ｗｉｎ＿Ｔｈｒｅｓｈｏｌｄより小さいという条件を満たすか否かを判断し、当該条件を満たすと判断するとステップＳＴ７に進み、当該条件を満たさないと判断するとステップＳＴ８に進む（ステップＳＴ６）。ここで、ウィンドウ幅の最大値ＢＰ＿Ｗｉｎ＿Ｔｈｒｅｓｈｏｌｄは、例えば人がテレビ等の映像を見ている際に、輝度の変化周期が気にならない程度の検知限を基準に設定することが望ましい。
【００３４】
ＣＰＵ１０４は、現在のウィンドウ幅ＢＰ＿Ｗｉｎに予め決められたウィンドウ幅拡張ステップＢＰ＿Ｗｉｎ＿Ｓｔｅｐを加算してウィンドウ幅ＢＰ＿Ｗｉｎを更新する（ステップＳＴ７）。
ペデスタルクランプ処理回路２２では、図４に示すように、クランプ処理開始直後は、ウィンドウ幅ＢＰ＿Ｗｉｎを短く設定し、その後、徐々に拡げる。これにより、クランプ補正開始直後の収束時間を従来に比べて短縮することが可能になる。
なお、前述したように、ウィンドウ幅ＢＰ＿Ｗｉｎを拡げることは、ペデスタルレベルのクランプ補正周期を長くすることに相当する。
【００３５】
ＣＰＵ１０４は、ペデスタルレベル補正オフセットＰＬ＿Ｏｆｆｓｅｔが、予め決められたオフセットチャージしきい値ＣＧ＿Ｔｈｒｅｓｈｏｌｄより大きいという条件を満たすか否かを判断し、当該条件を満たすと判断するとステップＳＴ９に進み、満たさないと判断するとステップＳＴ１０に進む（ステップＳＴ８）。
ここで、オフセットチャージしきい値ＣＧ＿Ｔｈｒｅｓｈｏｌｄは、オフセットチャージを行うか否かを判断するときに用いられるしきい値であり、人が視覚的に感じる明暗の検知限界を基準に決定される。すなわち、ペデスタルレベル補正オフセットＰＬ＿Ｏｆｆｓｅｔが人が視覚的に認識できない程度のレベルであれば、オフセットチャージ（ペデスタルクランプ処理）を行っても視覚される画質には影響がないため、このような場合にはオフセットチャージは行わない。
【００３６】
ＣＰＵ１０４は、オフセットチャージを行うアンプ１０６に対して、ステップＳＴ５で算出したペデスタルレベル補正オフセットＰＬ＿Ｏｆｆｓｅｔに相当するペデスタル直流電圧ＤＣ（ＰＶ）をデジタルＹ信号Ｓ１６１のレベルに付与する制御を行う（ステップＳＴ９）。
ＣＰＵ１０４は、算出変数である加算値ＢＰ＿Ａｄｄを「０」に初期化する（ステップＳＴ１０）。その後、ＣＰＵ１０４は、ステップＳＴ１に戻る。
【００３７】
以上説明したように、テレビ受像機１では、ペデスタルクランプ処理回路２２における、バックポーチレベル(ペデスタルレベル)の平均値の算出に、時間的に拡張していくウィンドウ幅を適用してクランプ補正処理を行う。これにより、ペデスタルクランプ処理の開始直後にレベル補正を最初に行うまでの時間を短縮でき、アナログ映像信号が劣化した品位の悪いものであっても、その輝度レベルを正常に再現でき、再生品質を向上できる。すなわち、非標準的なアナログ映像信号の輝度補正精度を安定して向上させることができる。すなわち、アナログビデオカセットに記録された映像信号の劣化や、ビデオデッキ等のアナログ映像出力装置そのものの劣化により、映像信号がなまり、シンクチップレベルが下がりきらなかったり、あるいは逆に上がり過ぎた信号についても高品質に再生できる。
【００３８】
また、テレビ受像機１では、アンプ／クランプ処理回路１４およびシンクチップクランプ処理回路１８によるシンクチップクランプ処理に加えて、ペデスタルクランプ処理回路２２によるペデスタルクランプ処理を行う。そのため、誤動作に強いというシンクチップクランプ処理のメリットと、表示上の輝度レベルの精度が高いとうペデスタルクランプ処理のメリットとの双方を受けることができる。
【００３９】
上述した実施形態では、係数ＰＬ＿Ｎｏｒｍ, ＣＧ＿Ｔｈｒｅｓｈｏｌｄ, ＢＰ＿Ｗｉｎ＿Ｔｈｒｅｓｈｏｌｄを固定値としたが、これらを可変とし、手動あるいは自動的に設定できるようにしてもよい。これにより、より効果的なペデスタルクランプ処理が可能となる。
【００４０】
例えば、上述したように係数ＰＬ＿Ｎｏｒｍは輝度の基準となるレベルである。ユーザによっては明暗の検知限は異なる。例えば、老齢の方に多い白内障や緑内障といった病気を患っている方などがいる。これを考慮し、ユーザがＰＬ＿Ｎｏｒｍを操作により変更できるようにしてもよい。
【００４１】
また、上述したように係数ＣＧ＿Ｔｈｒｅｓｈｏｌｄは輝度の補正を行うか否かのしきい値レベルである。輝度が安定しない場合があることを考慮し、ユーザが係数ＣＧ＿Ｔｈｒｅｓｈｏｌｄを操作により変更できるようにしてもよい。
また、上述したように係数ＢＰ＿Ｗｉｎ＿Ｔｈｒｅｓｈｏｌｄは移動平均を算出する際の最大ウィンドウ幅を定義している。バックポーチレベルの変動具合によっては輝度が安定しない可能性があることを考慮して、ユーザが係数ＢＰ＿Ｗｉｎ＿Ｔｈｒｅｓｈｏｌｄを操作により変更できるようにしてもよい。
【００４２】
＜第２実施形態＞
上述したように、ウィンドウ幅ＢＰ＿Ｗｉｎは、移動平均を算出する際にバックポーチレベルＢＰ＿Ｌｅｖｅｌを取得する範囲を定義している。上述したように第１実施形態では、選択されたウィンドウ幅ＢＰ＿Ｗｉｎ分のバックポーチレベルＢＰ＿Ｌｅｖｅｌを全て取得して移動平均を算出した後に、ウィンドウ幅ＢＰ＿Ｗｉｎを係数ＢＰ＿Ｗｉｎ＿Ｓｔｅｐ毎に拡張する。
本実施形態では、バックポーチレベルの変動具合（傾き）を考慮することで、より効果的な輝度補正処理を行う。例えば、時間的に、移動平均値を算出するウィンドウ幅ＢＰ＿Ｗｉｎに到達する前に、バックポーチレベルＢＰ＿Ｌｅｖｅｌの傾きが小さい(変動が穏やかな)場合には、その時点でオフセットチャージを行うことで、さらに補正時間を短縮する。
【００４３】
以下に、本実施形態のテレビ受像機１のペデスタルクランプ処理回路２２の処理を説明する。
図５は、本発明の第２実施形態のテレビ受像機のペデスタルクランプ処理回路による処理を説明するためのフローチャートである。
図５において、図３と同じ符号を付したステップは第１実施形態で説明したステップと同じである。なお、ステップＳＴ４´，ＳＴ１０´は、図３に示すステップＳＴ４，ＳＴ１０と基本的に同じであるが、一部異なる。
図５において、ステップＳＡ１〜ＳＡ４が、バックポーチレベルの変動を考慮したウィンドウ可変クランプ補正処理の具体的な一例としての要点に対応している。
【００４４】
ＣＰＵ１０４は、第１実施形態と同様に、バックポーチレベルＢＰ＿Ｌｅｖｅｌの取得（ステップＳＴ１）、並びに加算値ＢＰ＿Ａｄｄを更新（ステップＳＴ２）を順に行う。
続いて、ＣＰＵ１０４は、スタートから現在時刻までの加算値ＢＰ＿Ａｄｄをウィンドウ幅ＢＰ＿Ｗｉｎで除算して、平均値ＢＰ＿Ａｖｅを算出する（ステップＳＴ４´）。
【００４５】
ＣＰＵ１０４は、バックポーチレベルの傾きをチェックする（ステップＳＡ１）。すなわち、ＣＰＵ１０４は、スタートから現在時刻までのバックポーチレベルの移動平均値ＢＰ＿Ａｖｅと、現在時刻におけるバックポーチレベルＢＰ＿Ｌｅｖｅｌとの変動(傾き)を算出する。本実施形態では、当該変動を、ａｂｓ（ＢＰ＿Ａｖｅ−ＢＰ＿Ｌｅｖｅｌ）とする。ここで、ａｂｓは絶対値演算を示す。
ＣＰＵ１０４は、変動(傾き)が小さいか否かを判定するために、傾きａｂｓ（ＢＰ＿Ａｖｅ−ＢＰ＿Ｌｅｖｅｌ）と、予め規定されたしきい値ＢＰ＿Ｓｌｏｐｅ＿Ｔｈｒｅｓｈｏｌｄとを比較する（ステップＳＡ１）。
ＣＰＵ１０４は、変動ａｂｓ（ＢＰ＿Ａｖｅ−ＢＰ＿Ｌｅｖｅｌ）が、閾値ＢＰ＿Ｓｌｏｐｅ＿Ｔｈｒｅｓｈｏｌｄより小さい場合に、変動が小さい（バックポーチレベルの変動が穏やかである）と判定する。
【００４６】
そして、ＣＰＵ１０４は、バックポーチレベルの変動が穏やかであると判定した場合に、安定性の連続性を示す変数である連続出現回数ＢＰ＿Ｓｔａｂｌｅ＿Ｃｏｕｎｔのカウント値をカウントアップする（ステップＳＡ２）。
一方、ＣＰＵ１０４は、バックポーチレベルの変動が穏やかではないと判定した場合に、連続出現回数ＢＰ＿Ｓｔａｂｌｅ＿Ｃｏｕｎｔのカウント値を０にリセットする（ステップＳＡ３）。その後、ＣＰＵ１０４は、図３で説明したステップＳＴ３の処理を行う。
ＣＰＵ１０４は、ステップＳＴ３において、前述したように、今回の処理で選択されたウィンドウ幅ＢＰ＿Ｗｉｎ分のバックポーチレベルＢＰ＿Ｌｅｖｅｌを加算したという条件を満たしたか否かを判断し、当該条件を満たしたと判断すると、ステップＳＴ５に進み、条件を満たしていないと判断すると、ステップＳＴ１に戻る（ステップＳＴ３）。
【００４７】
ＣＰＵ１０４は、上記ステップＳＡ２に続いて、バックポーチレベルが安定であるか否かを判断する（ステップＳＡ４）。具体的には、ＣＰＵ１０４は、連続出現回数ＢＰ＿Ｓｔａｂｌｅ＿Ｃｏｕｎｔが、予め決められたバックポーチレベル変動の安定性判定しきい値ＢＰ＿Ｓｔａｂｌｅ＿Ｊｕｄｇｅより大きいという条件を満たす否かを判断する。ＣＰＵ１０４は、当該条件を満たすと判断すると、バックポーチレベルが安定であると判定してステップＳＴ５に進む。
一方、ＣＰＵ１０４は、上記条件を満たしていないと判断すると、バックポーチレベルが不安定であると判定してステップＳＴ３に進む。
【００４８】
その後、ＣＰＵ１０４は、図３を用いて説明したステップＳＴ３〜ＳＴ９の処理を行い、続いて、加算値ＢＰ＿Ａｄｄおよび連続出現回数ＢＰ＿Ｓｔａｂｌｅ＿Ｃｏｕｎｔのカウント値を「０」に初期化する（ステップＳＴ１０´）。
【００４９】
以上説明したように、図５を用いて説明した第２実施形態のテレビ受像機では、デジタルＹ信号Ｓ１６１のバックポーチレベルが安定している場合には、選択中のウィンドウ幅ＢＰ＿Ｗｉｎを用いたペデスタルクランプ処理を中断して、ステップＳＴ６，ＳＴ７によるウィンドウ幅拡張処理を行う。これにより、デジタルＹ信号Ｓ１６１のバックポーチレベルが安定している場合には、図３に示す処理に比べて、ウィンドウ幅の拡張タイミングを早くできる。これにより、従来に比べて、より安定したペデスタルクランプ補正が可能になる。
【００５０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、本発明のペデスタルレベルとしてバックポーチレベルを用いる場合を例示したが、フロントポーチレベルを用いてもよい。
【産業上の利用可能性】
【００５１】
本発明は、ペデスタルレベルを基に映像信号をクランプ補正するシステムに適用可能である。
【図面の簡単な説明】
【００５２】
【図１】図１は、本発明の第１実施形態に係るテレビ受像機の映像信号の処理に係る構成を説明するための機能ブロック図である。
【図２】図２は、図１に示すペデスタルクランプ処理回路の機能ブロック図である。
【図３】図３は、図２に示すペデスタルクランプ処理回路によるクランプ処理を説明するためのフローチャートである。
【図４】図４は、図２に示すペデスタルクランプ処理回路において、ウィンドウ幅ＢＰ＿Ｗｉｎを順次拡張する処理を概念的に説明するための図である。
【図５】図５は、本発明の第２実施形態における図２に示すペデスタルクランプ処理回路によるクランプ処理を説明するためのフローチャートである。
【図６】図６は、標準的なアナログ映像信号の水平ブランキング期間周辺の波形を説明するための図である。
【図７】図７は、非標準的なアナログ映像信号について、シンクチップクランプを行った場合の補正時のスナップショットを説明するための図である。
【符号の説明】
【００５３】
１テレビ受像機
１０…チューナ
１２…外部入力端子
１４…アンプ／クランプ処理回路
１６…Ａ／Ｄ変換回路
１８…シンクチップクランプ処理回路
２０…Ｙ／Ｃ分離回路
２２…ペデスタルクランプ処理回路、
１０２…バックポーチレベル検出回路
１０４…ＣＰＵ
１０６…加算回路
【図１】
2009021942.tif 000003
【図２】
2009021942.tif 000004
【図３】
2009021942.tif 000005
【図４】
2009021942.tif 000006
【図５】
2009021942.tif 000007
【図６】
2009021942.tif 000008
【図７】
2009021942.tif 000009